(57)【要約】【課題】    電子メールを取り扱う機能を備える通信装置（画像形成装置や情報処理装置等）に関して、１台の通信装置で画像付きメールもコマンド付きメールも取り扱うことができるようにすること。【解決手段】    電子メールを受信する受信手段と、前記受信手段により受信された電子メールが画像が付された画像付きメールであるかコマンドが付されたコマンド付きメールであるかを判断する判断手段とを備えることを特徴とする通信装置。【選択図】    図４
2006209337.tif 000002
【特許請求の範囲】
【請求項１】
電子メールを受信する受信手段と、前記受信手段により受信された電子メールが画像が付された画像付きメールであるかコマンドが付されたコマンド付きメールであるかを判断する判断手段とを備えることを特徴とする通信装置。
【請求項２】
前記判断手段は、前記受信手段により受信された電子メールが画像が付された画像付きメールであるかコマンドが付されたコマンド付きメールであるかを当該電子メールの所定項目に所定情報が格納されているか否かに基づいて判断することを特徴とする請求項１に記載の通信装置。
【請求項３】
前記判断手段は、前記受信手段により受信した電子メールのＣｏｎｔｅｎｔ−Ｔｙｐｅにｉｍａｇｅ又はｉｍａｇｅの所定フォーマットが格納されている場合、当該電子メールを画像付きメールであると判断する事を特徴とする請求項２に記載の通信装置。
【請求項４】
前記判断手段は、前記受信手段により受信した電子メールのＣｏｎｔｅｎｔ関係の所定項目に画像関係の所定拡張子が格納されている場合、当該電子メールを画像付きメールであると判断する事を特徴とする請求項２に記載の通信装置。
【請求項５】
電子メールを送信する送信手段を備え、
前記判断手段は、前記受信手段により受信した電子メールのＣｏｎｔｅｎｔ−Ｔｙｐｅのｒｅｐｏｒｔ−ｔｙｐｅにｄｉｓｐｏｓｉｔｉｏｎ−ｎｏｔｉｆｉｃａｔｉｏｎが格納されている場合、当該電子メールを前記送信手段により送信した画像付きメールに対する開封通知メールであると判断する事を特徴とする請求項２に記載の通信装置。
【請求項６】
電子メールを送信する送信手段を備え、
前記判断手段は、前記受信手段により受信した電子メールのバウンダリ文字列又はＭｅｓｓａｇｅ−ＩＤに当該通信装置の固有情報又は当該通信装置のソフトウェアの固有情報が格納されている場合、当該電子メールを前記送信手段により送信した画像付きメールに対するエラーメールであると判断する事を特徴とする請求項２に記載の通信装置。
【請求項７】
前記判断手段は、前記受信手段により受信した電子メールのＳｕｂｊｅｃｔにコマンドが格納されている場合、当該電子メールをコマンド付きメールであると判断する事を特徴とする請求項２に記載の通信装置。
【請求項８】
前記受信手段により受信された電子メールが前記判断手段により画像付きメールであると判断された場合、当該電子メールに付された画像を保存又は出力することを特徴とする請求項１乃至７のいずれか１項に記載の通信装置。
【請求項９】
前記受信手段により受信された電子メールが前記判断手段によりコマンド付きメールであると判断された場合、当該電子メールに付されたコマンドを実行することを特徴とする請求項１乃至７のいずれか１項に記載の通信装置。
【請求項１０】
通信装置により実行される通信方法であって、
電子メールを受信する受信段階と、前記受信段階により受信された電子メールが画像が付された画像付きメールであるかコマンドが付されたコマンド付きメールであるかを判断する判断段階とを備えることを特徴とする通信方法。
【請求項１１】
前記判断段階で、前記受信段階により受信された電子メールが画像が付された画像付きメールであるかコマンドが付されたコマンド付きメールであるかを当該電子メールの所定項目に所定情報が格納されているか否かに基づいて判断することを特徴とする請求項１０に記載の通信方法。
【請求項１２】
前記判断段階で、前記受信段階により受信した電子メールのＣｏｎｔｅｎｔ−Ｔｙｐｅにｉｍａｇｅ又はｉｍａｇｅの所定フォーマットが格納されている場合、当該電子メールを画像付きメールであると判断する事を特徴とする請求項１１に記載の通信方法。
【請求項１３】
前記判断段階で、前記受信段階により受信した電子メールのＣｏｎｔｅｎｔ関係の所定項目に画像関係の所定拡張子が格納されている場合、当該電子メールを画像付きメールであると判断する事を特徴とする請求項１１に記載の通信方法。
【請求項１４】
電子メールを送信する送信段階を備え、
前記判断段階で、前記受信段階により受信した電子メールのＣｏｎｔｅｎｔ−Ｔｙｐｅのｒｅｐｏｒｔ−ｔｙｐｅにｄｉｓｐｏｓｉｔｉｏｎ−ｎｏｔｉｆｉｃａｔｉｏｎが格納されている場合、当該電子メールを前記送信段階により送信した画像付きメールに対する開封通知メールであると判断する事を特徴とする請求項１１に記載の通信方法。
【請求項１５】
電子メールを送信する送信段階を備え、
前記判断段階で、前記受信段階により受信した電子メールのバウンダリ文字列又はＭｅｓｓａｇｅ−ＩＤに当該通信装置の固有情報又は当該通信装置のソフトウェアの固有情報が格納されている場合、当該電子メールを前記送信段階により送信した画像付きメールに対するエラーメールであると判断する事を特徴とする請求項１１に記載の通信方法。
【請求項１６】
前記判断段階で、前記受信段階により受信した電子メールのＳｕｂｊｅｃｔにコマンドが格納されている場合、当該電子メールをコマンド付きメールであると判断する事を特徴とする請求項１１に記載の通信方法。
【請求項１７】
前記受信段階により受信された電子メールが前記判断段階により画像付きメールであると判断された場合、当該電子メールに付された画像を保存又は出力することを特徴とする請求項１０乃至１６のいずれか１項に記載の通信方法。
【請求項１８】
前記受信段階により受信された電子メールが前記判断段階によりコマンド付きメールであると判断された場合、当該電子メールに付されたコマンドを実行することを特徴とする請求項１０乃至１６のいずれか１項に記載の通信方法。
【請求項１９】
通信装置に通信を実行させるプログラムであって、
電子メールを受信する受信手順と、前記受信手順により受信された電子メールが画像が付された画像付きメールであるかコマンドが付されたコマンド付きメールであるかを判断する判断手順とを実行させるプログラム。
【請求項２０】
通信装置に通信を実行させるプログラムが記録された記録媒体であって、
電子メールを受信する受信手順と、前記受信手順により受信された電子メールが画像が付された画像付きメールであるかコマンドが付されたコマンド付きメールであるかを判断する判断手順とを実行させるプログラムが記録された記録媒体。
【発明の詳細な説明】
【技術分野】
【０００１】
本発明は、コピー／プリンタ／スキャナ／ファクシミリ／複合機／融合機等の画像形成装置やパーソナルコンピュータ（ＰＣ）等の情報処理装置と言った通信装置、通信方法、プログラム、記録媒体に関する。
【背景技術】
【０００２】
近年、コピー機能とプリンタ機能とスキャナ機能とファクシミリ機能を備える複合機や融合機が市販されるようになった。複合機や融合機は、コピーやプリンタとして機能する場合には、画像を印刷用紙に印刷することになり、コピーやスキャナとして機能する場合には、画像を読取原稿から読み取ることになり、ファクシミリとして機能する場合には、画像を電話回線を通じて他の通信装置と授受することになる。
【特許文献１】特開２００２−８４３８３号公報
【特許文献２】特開２００３−２５９０８１号公報
【特許文献３】特開平１１−２５２１６４号公報
【発明の開示】
【発明が解決しようとする課題】
【０００３】
近年、電子メールを取り扱う機能を備える複合機や融合機が市販されるようになった。複合機や融合機で取り扱う電子メールの例として、ＦＡＸ画像が付されたＦＡＸ画像付きメールやコマンドが付されたコマンド付きメールが挙げられる。ＦＡＸ画像付きメールもコマンド付きメールも便利であるため、１台の複合機や融合機でＦＡＸ画像付きメールもコマンド付きメールも取り扱うことができると便利である。
【０００４】
本発明は、電子メールを取り扱う機能を備える通信装置（画像形成装置や情報処理装置等）に関して、１台の通信装置で画像付きメールもコマンド付きメールも取り扱うことができるようにすることを課題とする。
【課題を解決するための手段】
【０００５】
本発明は、電子メールを受信する受信手段と、前記受信手段により受信された電子メールが画像が付された画像付きメールであるかコマンドが付されたコマンド付きメールであるかを判断する判断手段とを備えることを特徴とする通信装置に関する。前記判断手段は例えば、前記受信手段により受信された電子メールが画像が付された画像付きメールであるかコマンドが付されたコマンド付きメールであるかを当該電子メールの所定項目に所定情報が格納されているか否かに基づいて判断する。
【０００６】
本発明は、通信装置により実行される通信方法であって、電子メールを受信する受信段階と、前記受信段階により受信された電子メールが画像が付された画像付きメールであるかコマンドが付されたコマンド付きメールであるかを判断する判断段階とを備えることを特徴とする通信方法に関する。前記判断段階で例えば、前記受信段階により受信された電子メールが画像が付された画像付きメールであるかコマンドが付されたコマンド付きメールであるかを当該電子メールの所定項目に所定情報が格納されているか否かに基づいて判断する。
【０００７】
本発明は、通信装置に通信を実行させるプログラムであって、電子メールを受信する受信手順と、前記受信手順により受信された電子メールが画像が付された画像付きメールであるかコマンドが付されたコマンド付きメールであるかを判断する判断手順とを実行させるプログラムに関する。
【０００８】
本発明は、通信装置に通信を実行させるプログラムが記録された記録媒体であって、電子メールを受信する受信手順と、前記受信手順により受信された電子メールが画像が付された画像付きメールであるかコマンドが付されたコマンド付きメールであるかを判断する判断手順とを実行させるプログラムが記録された記録媒体に関する。
【発明の効果】
【０００９】
本発明は、電子メールを取り扱う機能を備える通信装置（画像形成装置や情報処理装置等）に関して、１台の通信装置で画像付きメールもコマンド付きメールも取り扱うことができるようにすることを可能にする。
【発明を実施するための最良の形態】
【００１０】
図１は、本発明の実施例に該当する融合機１０１のソフトウェア構成図である。融合機１０１には、種々のアプリケーション１１１、種々のプラットフォーム１１２、オペレーティングシステム１１３が実装されている。
【００１１】
アプリケーション１１１としては、コピー機能用のコピーアプリ１２１、プリンタ機能用のプリンタアプリ１２２、スキャナ機能用のスキャナアプリ１２３、ファクシミリ機能用のファクシミリアプリ１２４が実装されている。
【００１２】
プラットフォーム１１２としては、通信管理用の通信管理モジュール１３１、文書管理用の文書管理モジュール１３２、エンジン管理用のエンジン管理モジュール１３３、オペレーションパネル管理用のオペレーションパネル管理モジュール１３４、メモリ管理用のメモリ管理モジュール１３５、認証管理用の認証管理モジュール１３６、ユーザ情報管理用のユーザ情報管理モジュール１３７、ファクシミリ処理管理用のファクシミリ処理管理モジュール１３８、システム管理用のシステム管理モジュール１３９が実装されている。
【００１３】
図２は、本発明の実施例に該当する融合機１０１のハードウェア構成図である。融合機１０１には、撮像部２０１、印刷部２０２、ファクシミリ制御部２０３、ＣＰＵ２１１、ＡＳＩＣ２１２、ＲＡＭ２１３、ＲＯＭ２１４、ＨＤＤ２１５、ＮＩＣ２２１、オペレーションパネル２２２が実装されている。
【００１４】
撮像部２０１は、読取原稿から画像を読み取る装置である。印刷部２０２は、印刷用紙に画像を印刷する装置である。ファクシミリ制御部２０３は、ファクシミリ制御用の装置である。ＣＰＵ２１１は、種々の情報処理用の集積回路である。ＡＳＩＣ２１２は、種々の画像処理用の集積回路である。ＲＡＭ２１３は、融合機内のメモリ（揮発性メモリ）である。ＲＯＭ２１４は、融合機内のメモリ（不揮発性メモリ）である。ＨＤＤ２１５は、融合機内のストレージである。ＮＩＣ２２１は、融合機のネットワークインタフェースとなる通信装置である。オペレーションパネル２２２は、融合機のユーザインタフェースとなる操作表示装置である。
【００１５】
図１のアプリケーション１１１やプラットフォーム１１２やオペレーティングシステム１１３は、図２のＲＯＭ２１４やＨＤＤ２１５に格納されている。
【００１６】
図３は、本発明の実施例に該当する融合機１０１のネットワーク構成図である。融合機１０１は、融合機１０１Ａ，１０１Ｂ，１０１Ｃや、ＰＣ３０１Ａ，３０１Ｂ，３０１Ｃに、イントラネット等のＬＡＮやインタネット等のＷＡＮといったネットワークによって接続されている。
【００１７】
図４は、融合機１０１で取り扱う電子メールについて説明するための図である。融合機１０１は、電子メールを取り扱う機能を備えている。融合機１０１で取り扱う電子メールとしては、ＦＡＸ画像が付されたＦＡＸ画像付きメール（図中Ａ）やコマンドが付されたコマンド付きメール（図中Ｂ）が挙げられる。ＦＡＸ画像付きメールには、通常のＦＡＸ画像付きメール（図中Ａ１）の他、ＦＡＸ画像付きメールに対する開封通知メール（図中Ａ２）やＦＡＸ画像付きメールに対するエラーメール（図中Ａ３）が存在する。コマンド付きメールには、通常のコマンド付きメール（図中Ｂ１：リクエストメール）の他、コマンド付きメールに対するアンサーメール（図中Ｂ２：レスポンスメール）やコマンド付きメールに対するエラーメール（図中Ｂ３：レスポンスメール）が存在する。
【００１８】
融合機１０１は、電子メールを送信する機能や電子メールを受信する機能と共に、受信した電子メールがＦＡＸ画像付きメールであるかコマンド付きメールであるかを判断する機能を備えている。これにより、融合機１０１は、ＦＡＸ画像付きメールとコマンド付きメールを共通のアカウントで受信しても、ＦＡＸ画像付きメールとコマンド付きメールを区別することができる。これにより、融合機１０１は、ＦＡＸ画像付きメールもコマンド付きメールも取り扱うことができるのである。
【００１９】
融合機１０１は、受信した電子メールがＦＡＸ画像付きメールであると判断した場合、当該電子メールに付されたＦＡＸ画像を保存したり印刷したりすることになる。いわゆるインタネットＦＡＸである。融合機１０１は、受信した電子メールがコマンド付きメールであると判断した場合、当該電子メールに付されたコマンドを実行することになる。コマンドの例としては、融合機１０１のジャム状態やトレイ状態やサプライ状態と言った情報を提供する旨のコマンドが挙げられる。
【００２０】
なお、電子メールを取り扱う機能は、通信管理モジュール１３１が担う。また、ＦＡＸ画像付きメールに付されたＦＡＸ画像を保存したり印刷したりする機能は、ファクシミリ処理管理モジュール１３８が担う。また、コマンド付きメールに付されたコマンドを実行する（融合機１０１のジャム状態やトレイ状態やサプライ状態と言った情報を提供する）機能は、エンジン管理モジュール１３３が担う。詳細は、図５と図６により説明することにする。
【００２１】
図５と図６は、電子メールを取り扱う機能について説明するためのブロック図とフローチャート図である。
【００２２】
通信管理モジュール１３１は、送信処理部４０１、受信処理部４０２、コマンド処理部４０３で構成される。送信処理部４０１は、電子メールを送信するブロックである。受信処理部４０２は、電子メールを受信するブロックである。コマンド処理部４０３は、電子メールに付されたコマンドを処理するブロックである。
【００２３】
送信処理部４０１は、メール送信部４１１、メール作成部４１２で構成される。メール送信部４１１は、電子メールをバッファからネットワークへと送信するブロックである。メール作成部４１２は、送信される電子メールを作成するブロックである。
【００２４】
受信処理部４０２は、メール受信部４２１、メール解釈部４２２、メール判断部４２３で構成される。メール受信部４２１は、電子メールをネットワークからバッファへと受信するブロックである。メール解釈部４２２は、受信された電子メールを分解して解釈するブロックである。メール判断部４２３は、受信された電子メールがＦＡＸ画像付きメールであるかコマンド付きメールであるかを解釈結果に基づいて判断するブロックである。
【００２５】
融合機１０１は、メール受信部４２１により電子メールをネットワークからバッファに受信（Ｓ１０１）すると、メール解釈部４２２により当該電子メールを分解して解釈（Ｓ１０２）して、メール判断部４２３により当該電子メールがＦＡＸ画像付きメールであるかコマンド付きメールであるかを当該解釈結果に基づいて判断（Ｓ１０３）する。
【００２６】
融合機１０１は、受信した電子メールがＦＡＸ画像付きメールであると判断した（Ｓ１１１）場合、当該電子メールの情報をファクシミリ処理管理モジュール１３８に提供（Ｓ１２１）することになる。ファクシミリ処理管理モジュール１３８は、当該電子メールに付されたＦＡＸ画像が親展文書である（Ｓ１２２）場合には、当該電子メールに付されたＦＡＸ画像を保存（Ｓ１２３）することになる。ファクシミリ処理管理モジュール１３８は、当該電子メールに付されたＦＡＸ画像が親展文書でない（Ｓ１２２）場合には、当該電子メールに付されたＦＡＸ画像を印刷（Ｓ１２４）することになる。
【００２７】
融合機１０１は、受信した電子メールがコマンド付きメールであると判断した（Ｓ１１１）場合、当該電子メールの情報をコマンド処理部４０３に提供（Ｓ１３１）することになる。コマンド処理部４０３は、当該電子メールに付されたコマンドが正当である（Ｓ１３２）場合には、当該電子メールに付されたコマンドをエンジン管理モジュール１３３に実行（Ｓ１３３）させて、当該コマンド付きメールに対するアンサーメールをメール作成部４１２に作成（Ｓ１３４）させてメール送信部４１１に送信（Ｓ１３５）させることになる。コマンド処理部４０３は、当該電子メールに付されたコマンドが不当である（Ｓ１３２）場合には、当該コマンド付きメールに対するエラーメールをメール作成部４１２に作成（Ｓ１３６）させてメール送信部４１１に送信（Ｓ１３７）させることになる。
【００２８】
融合機１０１は、受信した電子メールが画像付きメールであるかコマンド付きメールであるかを、当該電子メールの所定項目に所定情報が格納されているか否かに基づいて自動的に判断する。融合機１０１は、受信した電子メールが画像付きメールであるかコマンド付きメールであるかを、当該電子メールそのものに基づいて自動的に判断するのである。詳細は、図７により説明することにする。
【００２９】
図７は、図５のメール受信部４２１による図６のＳ１０１，図５のメール解釈部４２２による図６のＳ１０２，図５のメール判断部４２３による図６のＳ１０３の詳細について説明するためのフローチャート図である。
【００３０】
融合機１０１は先ず、受信した電子メールのバウンダリ文字列をチェック（Ｓ２０１）する。融合機１０１は、受信した電子メールのバウンダリ文字列に自機のＭＡＣアドレスが格納されている（Ｓ２０２）場合、当該電子メールを自機から他機に送信した「ＦＡＸ画像付きメール」に対して自機に戻って来た「エラーメール」であると判断（Ｓ２０３）する。ＦＡＸ画像付きメールに対するエラーメールの判断処理の詳細は、図８により説明することにする。
【００３１】
融合機１０１は次に、受信した電子メールのＣｏｎｔｅｎｔ−Ｔｙｐｅのｒｅｐｏｒｔ−ｔｙｐｅをチェック（Ｓ２１１）する。融合機１０１は、受信した電子メールのＣｏｎｔｅｎｔ−Ｔｙｐｅのｒｅｐｏｒｔ−ｔｙｐｅにｄｉｓｐｏｓｉｔｉｏｎ−ｎｏｔｉｆｉｃａｔｉｏｎが格納されている（Ｓ２１２）場合、当該電子メールを自機から他機に送信した「ＦＡＸ画像付きメール」に対して他機から自機に返信された「開封通知メール」であると判断（Ｓ２１３）する。ＦＡＸ画像付きメールに対する開封通知メールの判断処理の詳細は、図９により説明することにする。
【００３２】
融合機１０１は次に、受信した電子メールのＳｕｂｊｅｃｔ欄をチェック（Ｓ２２１）する。融合機１０１は、受信した電子メールのＳｕｂｊｅｃｔ欄に正当なコマンドが格納されている（Ｓ２２２）場合、当該電子メールを正当な「コマンド付きメール」であると判断（Ｓ２２３）する。コマンド付きメールの判断処理の詳細は、図１０により説明することにする。
【００３３】
融合機１０１は次に、受信した電子メールのＣｏｎｔｅｎｔ−Ｔｙｐｅをチェック（Ｓ２３１）する。融合機１０１は、受信した電子メールのＣｏｎｔｅｎｔ−Ｔｙｐｅにｔｉｆｆが格納されている（Ｓ２３２）場合、当該電子メールを「ＦＡＸ画像付きメール」であると判断（Ｓ２３３）する。ＦＡＸ画像付きメールの判断処理の詳細は、図１１により説明することにする。
【００３４】
融合機１０１は、いずれにも該当しない電子メールを不当な「コマンド付きメール」であると判断（Ｓ２４１）する。
【００３５】
図８は、ＦＡＸ画像付きメールに対するエラーメールの具体例である。
【００３６】
ＦＡＸ画像付きメールに対するエラーメールは、ＦＡＸ画像付きメールに対するエラーメッセージを記述した記述部分８Ａと、ＦＡＸ画像付きメールを引用した引用部分８Ｂで構成される。
【００３７】
ＦＡＸ画像付きメールにＦＡＸ画像を付すのにここでは、ＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ）のバウンダリ文字列が使用されるものとする。バウンダリ文字列は、電子メールに画像等を付すべく電子メールをマルチパート化するための文字列である。各電子メールで使用するバウンダリ文字列は各電子メールで定義することができる。そのため、ＦＡＸ画像が付されたＦＡＸ画像付きメールを引用した引用部分８Ｂには、バウンダリ文字列の定義部分に当たる記述部分８Ｃと、バウンダリ文字列に当たる記述部分８Ｄが存在する。
【００３８】
融合機１０１は、自機から他機に送信するＦＡＸ画像付きメールのバウンダリ文字列に自機のＭＡＣアドレスを格納するものとする。そのため、自機から他機に送信したＦＡＸ画像付きメールに対して自機に戻って来たエラーメールにつき、ＦＡＸ画像付きメールを引用した引用部分８Ｂのバウンダリ文字列８Ｄには、自機のＭＡＣアドレスが格納されていることになる。そのため、融合機１０１は、受信した電子メールのバウンダリ文字列に自機のＭＡＣアドレスが格納されている場合、当該電子メールを自機から他機に送信したＦＡＸ画像付きメールに対して自機に戻って来たエラーメールであると判断する。
【００３９】
各機体のＭＡＣアドレスは各機体に固有な固有情報であるため、融合機１０１は、自機から他機に送信したＦＡＸ画像付きメールに対して自機に戻って来たエラーメールだけを受信した電子メールから選別することができる。融合機１０１は、自機のＭＡＣアドレスの代わりに、自機の機体番号と言った自機に固有な固有情報や、自機のアプリケーション１１１のＩＤやプラットフォーム１１２のＩＤと言った自機のソフトウェアに固有な固有情報を格納する事にしてもよい。融合機１０１は、自機のＭＡＣアドレス等をバウンダリ文字列（記述部分８Ｄ）に格納する代わりに、Ｍｅｓｓａｇｅ−ＩＤ（記述部分８Ｅ）に格納する事にしてもよい。ここでは引用部分８Ｂのバウンダリ文字列８Ｄ「ＤＣ＿ＢＯＵＮＤ＿ＰＲＥ＜００００１２３４ａ１２ａ＞」には、ＭＡＣアドレス「００００１２３４ａ１２ａ」が格納されている。
【００４０】
図９は、ＦＡＸ画像付きメールに対する開封通知メールの具体例である。
【００４１】
ＦＡＸ画像付きメールに対する開封通知メールのＣｏｎｔｅｎｔ−Ｔｙｐｅ（記述部分９Ａ）のｒｅｐｏｒｔ−ｔｙｐｅ（記述部分９Ｂ）には、ｄｉｓｐｏｓｉｔｉｏｎ−ｎｏｔｉｆｉｃａｔｉｏｎが格納されることがＲＦＣ２２９８で規定されている。そのため、融合機１０１は、受信した電子メールのＣｏｎｔｅｎｔ−Ｔｙｐｅのｒｅｐｏｒｔ−ｔｙｐｅにｄｉｓｐｏｓｉｔｉｏｎ−ｎｏｔｉｆｉｃａｔｉｏｎが格納されている場合、当該電子メールを自機から他機に送信したＦＡＸ画像付きメールに対して他機から自機に返信された開封通知メールであると判断する。
【００４２】
図１０は、コマンド付きメールの具体例である。
【００４３】
コマンド付きメールのコマンドはここでは、Ｓｕｂｊｅｃｔ（記述部分１０Ａ）に格納されるものとする。コマンド付きメールのコマンドはここでは、予約語？引数名＝引数＆引数名＝引数＆引数名＝引数・・・というフォーマットで記述されるものとする。予約語はここではｄｅｖｉｃｅｓｔａｔｕｓであるとする。引数名はここではｒｅｑｕｅｓｔ，ｆｏｒｍａｔ，ｌａｎｇ・・・であるとする。そのため、融合機１０１は、受信した電子メールのＳｕｂｊｅｃｔに正当なコマンドが正当なフォーマットで格納されている場合、当該電子メールを正当なコマンド付きメールであると判断する。
【００４４】
図１１は、ＦＡＸ画像付きメールの具体例である。
【００４５】
ＦＡＸ画像付きメールのＦＡＸ画像パートのＣｏｎｔｅｎｔ−Ｔｙｐｅ（記述部分１１Ａ）には、ＦＡＸ画像の画像フォーマットが格納されることがＲＦＣで規定されている。ＦＡＸ画像の画像フォーマットは、ｉｍａｇｅ／画像フォーマットというフォーマットで記述される。ＦＡＸ画像の画像フォーマットには、ＴＩＦＦフォーマットやＰＤＦフォーマットが存在する。そのため、融合機１０１は、受信した電子メールのＣｏｎｔｅｎｔ−Ｔｙｐｅにｔｉｆｆやｐｄｆ等のｉｍａｇｅの所定フォーマットが格納されている場合、当該電子メールをＦＡＸ画像付きメールであると判断する。
【００４６】
なお、融合機１０１は、Ｃｏｎｔｅｎｔ−Ｔｙｐｅにｉｍａｇｅの所定フォーマットが格納されている場合にＦＡＸ画像付きメールであると判断する代わりに、Ｃｏｎｔｅｎｔ−Ｔｙｐｅにｉｍａｇｅが格納されている場合に当該電子メールをＦＡＸ画像付きメールであると判断する事にしてもよい。また、融合機１０１は、Ｃｏｎｔｅｎｔ−Ｔｙｐｅにｔｉｆｆやｐｄｆが格納されている場合にＦＡＸ画像付きメールであると判断する代わりに、Ｃｏｎｔｅｎｔ−Ｔｙｐｅ（記述部分１１Ａ）Ｃｏｎｔｅｎｔ−Ｄｉｓｐｏｓｉｔｉｏｎ（記述部分１１Ｂ）Ｃｏｎｔｅｎｔ−Ｄｅｓｃｒｉｐｔｉｏｎ（記述部分１１Ｃ）等のＣｏｎｔｅｎｔ関係の所定項目にＴＩＦＦ拡張子やＰＤＦ拡張子等のＦＡＸ画像関係の所定拡張子が格納されている場合に当該電子メールをＦＡＸ画像付きメールであると判断する事にしてもよい。
【００４７】
図１２は、コマンド付きメールに対するアンサーメールの具体例である。
【図面の簡単な説明】
【００４８】
【図１】本発明の実施例に該当する融合機のソフトウェア構成図である。
【図２】本発明の実施例に該当する融合機のハードウェア構成図である。
【図３】本発明の実施例に該当する融合機のネットワーク構成図である。
【図４】融合機で取り扱う電子メールについて説明するための図である。
【図５】電子メールを取り扱う機能について説明するためのブロック図である。
【図６】電子メールを取り扱う機能について説明するためのフローチャート図である。
【図７】Ｓ１０１，Ｓ１０２，Ｓ１０３の詳細について説明するためのフローチャート図である。
【図８】ＦＡＸ画像付きメールに対するエラーメールの具体例である。
【図９】ＦＡＸ画像付きメールに対する開封通知メールの具体例である。
【図１０】コマンド付きメールの具体例である。
【図１１】ＦＡＸ画像付きメールの具体例である。
【図１２】コマンド付きメールに対するアンサーメールの具体例である。
【符号の説明】
【００４９】
１０１  融合機
１１１  アプリケーション
１１２  プラットフォーム
１１３  オペレーティングシステム
１２１  コピーアプリ
１２２  プリンタアプリ
１２３  スキャナアプリ
１２４  ファクシミリアプリ
１３１  通信管理モジュール
１３２  文書管理モジュール
１３３  エンジン管理モジュール
１３４  オペレーションパネル管理モジュール
１３５  メモリ管理モジュール
１３６  認証管理モジュール
１３７  ユーザ情報管理モジュール
１３８  ファクシミリ処理管理モジュール
１３９  システム管理モジュール
２０１  撮像部
２０２  印刷部
２０３  ファクシミリ制御部
２１１  ＣＰＵ
２１２  ＡＳＩＣ
２１３  ＲＡＭ
２１４  ＲＯＭ
２１５  ＨＤＤ
２２１  ＮＩＣ
２２２  オペレーションパネル
３０１  ＰＣ
４０１  送信処理部
４０２  受信処理部
４０３  コマンド処理部
４１１  メール作成部
４１２  メール送信部
４２１  メール受信部
４２２  メール解釈部
４２３  メール判断部
【図１】
2006209337.tif 000003
【図２】
2006209337.tif 000004
【図３】
2006209337.tif 000005
【図４】
2006209337.tif 000006
【図５】
2006209337.tif 000007
【図６】
2006209337.tif 000008
【図７】
2006209337.tif 000009
【図８】
2006209337.tif 000010
【図９】
2006209337.tif 000011
【図１０】
2006209337.tif 000012
【図１１】
2006209337.tif 000013
【図１２】
2006209337.tif 000014